(57)【要約】【課題】操作ケーブルとディレイラの連結部との連結・連結解除作業をするために変速ケースに設けられた作業用開口からのチェーンへの給油作業の容易性が確保されたうえで、作業用開口による変速ケースの剛性の低下を防止または抑制して、変速ケースの大型化および重量増を防止または抑制する。【解決手段】変速装置は、変速スプロケット41〜47から構成されるスプロケット群40と、ディレイラと、スプロケット群40、ディレイラおよびチェーンを収容する変速ケース20と、を備える。変速ケース20には、操作ケーブル62のインナケーブル62ｂとディレイラの平行リンク機構73の連結部85との連結・連結解除作業のための作業用開口26が設けられる。開口26は、スプロケット群40の中で最大外径の変速スプロケット41に軸方向で最も近いケース壁21ｃに設けられ、変速スプロケット41は、スプロケット群40の中で、径方向で開口26に最も近い。【選択図】図５
2006096300.tif 000002
【特許請求の範囲】
【請求項１】
軸方向に配列されると共に外径が異なる複数の変速スプロケットから構成されるスプロケット群と、操作ケーブルにより操作されて前記スプロケット群の中でチェーンを掛け換える掛換え機構と、前記スプロケット群、前記掛換え機構および前記チェーンを収容する変速ケースと、を備える変速装置であって、前記変速ケースには、前記操作ケーブルと前記掛換え機構の連結部との連結作業および連結解除作業のための作業用開口が設けられる変速装置において、
前記作業用開口は、前記スプロケット群の中で最大外径の変速スプロケットに軸方向で最も近い軸方向ケース壁に設けられ、前記最大外径の変速スプロケットは、前記スプロケット群の中で、径方向で前記作業用開口に最も近いことを特徴とする変速装置。
【請求項２】
前記操作ケーブルは、前記変速ケースに設けられた操作用開口を貫通して前記変速ケースの内部および外部に渡って延びており、前記操作用開口は、径方向で前記連結部と対向する径方向ケース壁に設けられることを特徴とする請求項１記載の変速装置。
【請求項３】
前記掛換え機構は、掛換え時に掛換え先の変速スプロケットに向けて前記チェーンを軸方向に移動させる作動部材を備え、前記連結部は、前記作動部材に設けられて前記作動部材から前記作業用開口に向かって軸方向に突出していることを特徴とする請求項１または請求項２記載の変速装置。
【請求項４】
前記掛換え機構による前記チェーンの掛換え先の変速スプロケットが、前記最大外径の変速スプロケットであるとき、または軸方向で前記最大外径の変速スプロケットの近くに位置するほど、前記連結部が前記作業用開口に軸方向で近づくことを特徴とする請求項１から請求項３のいずれか１項記載の変速装置。
【発明の詳細な説明】
【技術分野】
【０００１】
本発明は、複数の変速スプロケットから構成されるスプロケット群と、操作ケーブルにより操作されてスプロケット群の中でチェーンを掛け換える掛換え機構と、スプロケット群、掛換え機構およびチェーンを収容する変速ケースと、を備える変速装置に関し、該変速装置は、例えば自転車に備えられる。
【背景技術】
【０００２】
この種の変速装置として、特許文献１に開示された自転車用の変速装置は、外径が異なる複数の変速スプロケットと、変速操作用のワイヤにより操作されて、変速スプロケットの間でチェーンを掛け換えるディレイラと、変速スプロケット、チェーンおよびディレイラを収容するケースとを備える。複数の変速スプロケットは、左方から右方に向かって順次外径が小さくなるように軸方向に配列される。ディレイラは、軸方向に平行に配置されてケースに固定されるディレイラ軸と、ガイドプーリを支持すると共にディレイラ軸に揺動可能に支持されるディレイラアームとを備える。ディレイラアームおよびガイドプーリは、操作素子が結合されたワイヤの操作により、ディレイラ軸を中心として揺動すると共に軸方向に移動する。操作素子は、ディレイラ軸の内部に設けられた収容孔内で軸方向に移動可能であり、ディレイラアームに固定されると共にディレイラ軸に設けられた案内孔に挿入されるピンと係合する。ディレイラがケース内に収容された状態で、操作素子とワイヤとの連結作業、そして操作素子を介してのワイヤとピンとの連結作業、さらにはそれらの連結解除作業は、前記ケースの右側のケース壁に設けられた開口を通じて行われる。そして、連結作業が終了した後、開口はキャップにより塞がれる。
【特許文献１】特開２００４−１５５２８０号公報
【発明の開示】
【発明が解決しようとする課題】
【０００３】
前記従来技術において、複数の変速スプロケットの中で、軸方向で開口に最も近い最小外径の変速スプロケットは、軸方向に直交する方向または径方向では開口から最も離れた位置にあり、また径方向で最小外径の変速スプロケットよりも開口に近い位置にある最大外径の変速スプロケットは、軸方向では開口から最も離れた位置にある。このため、開口から最小外径の変速スプロケットまたは最大外径の変速スプロケットに巻き掛けられたチェーンまでの距離が大きく、開口を通じてチェーンに給油を行うためには、開口を大きくする必要があった。しかしながら、開口が大きくなると、ケースの剛性が低下することから、所要の剛性を確保するためには、ケースを大きくしたり、ケースの肉厚を増加させる必要があるが、このような手法は、ケースの大型化や重量増を招来する。
【０００４】
本発明は、このような事情に鑑みてなされたものであり、請求項１〜４記載の発明は、操作ケーブルと掛換え機構の連結部との連結作業および連結解除作業をするために変速ケースに設けられた作業用開口からのチェーンへの給油作業の容易性が確保されたうえで、作業用開口による変速ケースの剛性の低下を防止または抑制して、変速ケースの大型化および重量増を防止または抑制することを目的とする。そして、請求項２記載の発明は、さらに、作業用開口の配置の自由度を大きくすることを目的とし、請求項３記載の発明は、さらに、操作ケーブルと連結部との連結・連結解除作業を容易にすることを目的とし、請求項４記載の発明は、さらに、操作ケーブルと連結部との連結状態の点検を容易にすることを目的とする。
【課題を解決するための手段】
【０００５】
請求項１記載の発明は、軸方向に配列されると共に外径が異なる複数の変速スプロケットから構成されるスプロケット群と、操作ケーブルにより操作されて前記スプロケット群の中でチェーンを掛け換える掛換え機構と、前記スプロケット群、前記掛換え機構および前記チェーンを収容する変速ケースと、を備える変速装置であって、前記変速ケースには、前記操作ケーブルと前記掛換え機構の連結部との連結作業および連結解除作業のための作業用開口が設けられる変速装置において、前記作業用開口は、前記スプロケット群の中で最大外径の変速スプロケットに軸方向で最も近い軸方向ケース壁に設けられ、前記最大外径の変速スプロケットは、前記スプロケット群の中で、径方向で前記作業用開口に最も近い変速装置である。
【０００６】
これによれば、掛換え機構によりチェーンが最大外径の変速スプロケットに巻き掛けられた状態では、作業用開口とチェーンとの軸方向での距離が最小となり、しかも最大外径の変速スプロケットが径方向で作業用開口に最も近いので、作業用開口を通じてのチェーンへの給油作業が容易になって、給油作業のために作業用開口を大きくする必要がない。
【０００７】
請求項２記載の発明は、請求項１記載の変速装置において、前記操作ケーブルは、前記変速ケースに設けられた操作用開口を貫通して前記変速ケースの内部および外部に渡って延びており、前記操作用開口は、径方向で前記連結部と対向する径方向ケース壁に設けられるものである。
【０００８】
これによれば、変速ケースにおいて、操作用開口は、作業用開口が設けられる軸方向ケース壁に設けられないため、軸方向ケース壁における作業用開口の配置の制約が少なくなる。
【０００９】
請求項３記載の発明は、請求項１または請求項２記載の変速装置において、前記掛換え機構は、掛換え時に掛換え先の変速スプロケットに向けて前記チェーンを軸方向に移動させる作動部材を備え、前記連結部は、前記作動部材に設けられて前記作動部材から前記作業用開口に向かって軸方向に突出しているものである。
【００１０】
これによれば、連結部が、作動部材から軸方向に突出する分、軸方向で作業用開口により近づく。
【００１１】
請求項４記載の発明は、請求項１から請求項３のいずれか１項記載の変速装置において、前記掛換え機構による前記チェーンの掛換え先の変速スプロケットが、前記最大外径の変速スプロケットであるとき、または軸方向で前記最大外径の変速スプロケットの近くに位置するほど、前記連結部が前記作業用開口に軸方向で近づくものである。
【００１２】
これによれば、掛換え機構を操作してスプロケット群の中で、軸方向で最大外径の変速スプロケットにより近い位置の変速スプロケットに、好ましくは最大外径の変速スプロケットにチェーンが巻き掛けられた状態とすることにより、連結部を軸方向で作業用開口に近づけることができる。
【発明の効果】
【００１３】
請求項１記載の発明によれば、次の効果が奏される。すなわち、給油作業のために作業用開口を大きくする必要がないので、チェーンへの給油作業の容易性が確保されたうえで、作業用開口を極力小さくすることができて、作業用開口による変速ケースの剛性の低下が防止または抑制され、所要の剛性を確保したうえで、変速ケースの大型化および重量増が防止または抑制される。
【００１４】
請求項２記載の発明によれば、引用された請求項記載の発明の効果に加えて、次の効果が奏される。すなわち、軸方向ケース壁に設けられる作業用開口の配置の自由度が大きくなるので、作業用開口を、操作ケーブルと連結部との連結・連結解除作業はもちろん、チェーンへの給油作業にも適切な位置に設けることが可能になり、連結・連結解除作業および給油作業が容易になる。
【００１５】
請求項３記載の発明によれば、引用された請求項記載の発明の効果に加えて、次の効果が奏される。すなわち、連結部が作業用開口により近づくので、連結および連結解除作業が一層容易になる。
【００１６】
請求項４記載の発明によれば、引用された請求項記載の発明の効果に加えて、次の効果が奏される。すなわち、掛換え機構により連結部を軸方向で作業用開口に近づけることができるので、給油作業の際に操作ケーブルと連結部との連結状態の点検が容易にできる。
【発明を実施するための最良の形態】
【００１７】
以下、本発明の実施形態を図１ないし図８を参照して説明する。
図１を参照すると、本発明が適用された変速装置Ｔを備える自転車Ｂは、車体フレームＦと、ペダル式のクランク軸12と、変速装置Ｔ、変速後の動力で回転駆動される出力軸15および駆動力伝達機構を含む伝動装置と、を備える。
【００１８】
車体フレームＦは、下端部で前輪Ｗｆを軸支すると共に上端部にハンドル７が取り付けられたフロントフォーク６を操舵可能に支持するヘッドパイプ１と、ヘッドパイプ１から後方斜め下方に延びる左右１対のメインフレーム２と、両メインフレーム２の前端部から後方斜め下方に延びるダウンチューブ３と、両メインフレーム２の後端部とダウンチューブ３の後端部とを連結する左右１対のアンダチューブ４と、各メインフレーム２から延びてサドル８を支持するサドルフレーム５とを備える。
【００１９】
なお、明細書または特許請求の範囲において、軸方向、径方向および周方向とは、それぞれ、変速スプロケット41〜47の回転中心線Ｌ３の方向、回転中心線Ｌ３を中心とする径方向および回転中心線Ｌ３を中心とする周方向を意味し、側面視とは、軸方向から見ることを意味する。また、実施形態において、上下、前後および左右は、それぞれ変速装置が備えられる自転車Ｂまたは機械の上下、前後および左右と一致する。
【００２０】
両メインフレーム２の後部２ａに設けられたピボット軸９（図３も参照）には、後端部に取り付けられた車軸を介して後輪Ｗｒを軸支する左右１対のスイングアーム10の前端部が揺動可能に支持される。両スイングアーム10は、リヤサスペンション11を介して両メインフレーム２に連結されることで、後輪Ｗｒと共にピボット軸９を中心に上下方向に揺動可能である。
【００２１】
車体フレームＦの下部であって、両メインフレーム２の後部２ａと両アンダチューブ４との間に形成される空間に、変速装置Ｔの変速ケース20、変速機構Ｍ１およびディレイラ70と、変速装置Ｔに回転可能に支持されるクランク軸12および出力軸15とが配置され、車体フレームＦの右側には、前記駆動力伝達機構が配置される。ここで、自転車Ｂの車幅方向（左右方向と一致する。）または軸方向での一側方を左方とするとき、右方は車幅方向または軸方向での他側方である。
【００２２】
図２を併せて参照すると、変速装置Ｔは、周縁部に形成された２つのボス（図２には、第１ケース21のボス21ａが示されている。）ボルト（図示されず）により結合される左右１対の左ケースとしての第１ケース21および右ケースとしての第２ケース22から構成されて密閉またはほぼ密閉された空間である内部24を形成する金属製の変速ケース20を備える。変速ケース20は、第１，第２ケース21，22の周縁部に形成された１対の取付部（図１，図２には、第１ケース21の取付部21ｂが示されている。）においてボルトＢ１により両メインフレーム２および両アンダチューブ４にそれぞれ固定される。
【００２３】
併せて図３，図４を参照すると、変速ケース20は、軸方向で対向する左右１対の第１，第２軸方向ケース壁21ｃ，22ｃと、両軸方向ケース壁21ｃ，22ｃの外周部にそれぞれ連続しているとともに軸方向にほぼ平行に延びる筒状の周方向ケース壁23とを有する。第１ケース21は、第１軸方向ケース壁21ｃと、周方向ケース壁23の左側部分を構成する第１周方向ケース壁21ｄとを有し、第２ケース22は、第２軸方向ケース壁22ｃと、周方向ケース壁23の右側部分を構成する第２周方向ケース壁22ｄとを有する。
【００２４】
運転者により回転駆動されて駆動トルクが入力されるクランク軸12は、変速ケース20の下部を左右方向に貫通して配置される主軸12ａと、変速ケース20の外側に突出した主軸12ａの左右の両端部にそれぞれ結合される１対のクランクアーム12ｂとを備える。主軸12ａは１対の軸受14を介して第１，第２ケース21，22に回転可能に支持される。各クランクアーム12ｂには、ペダル13が回転可能に取り付けられる。
【００２５】
主軸12ａの前方斜め上方には出力軸15が、また主軸12ａのほぼ真上にはピボット軸９が、出力軸15の回転中心線Ｌ２およびスイングアーム10の揺動中心線が互いに平行に、かつクランク軸12の回転中心線Ｌ１に平行になるように、しかもクランクアーム12ｂの回転軌跡内に収まるように配置される。メインフレーム２に固定されるピボット軸９は、第１，第２ケース21，22に内部24に突出して形成されたボス21ｅ，22ｅの貫通孔に挿通されて、第１，第２ケース21，22を支持する。
【００２６】
図４を参照すると、変速ケース20内に収容された出力軸15は、第２ケース22から右方に突出した端部15ａを有し、端部15ａに出力用駆動回転体としての出力用駆動スプロケット17が結合される。図１を併せて参照すると、駆動スプロケット17と後輪Ｗｒに駆動連結された出力用被動回転体としての出力用被動スプロケット18とには可撓性の出力用無端伝動帯としての出力用チェーン19が掛け渡される。そして、駆動スプロケット17、チェーン19および被動スプロケット18は、駆動輪としての後輪Ｗｒを駆動する前記駆動力伝達機構を構成する。
【００２７】
以下、変速装置Ｔを中心にさらに説明する。
図２〜図４を参照すると、変速装置Ｔは、チェーン式の変速機構Ｍ１と、変速機構Ｍ１を変速操作に応じて所望の変速位置へ切り換える変速切換機構Ｍ２と、変速機構Ｍ１および変速切換機構Ｍ２の構成要素である後述するディレイラ70を収容する変速ケース20とを備える。
【００２８】
変速機構Ｍ１は、一方向クラッチ30、スライド機構としてのボールスプライン機構31、駆動スプロケット32、被動スプロケットとしての複数の変速スプロケット41〜47、無端の変速用チェーンＣおよびチェーン案内部材50を備える。駆動スプロケット32は、クランク軸12の主軸12ａに同軸に配置されて、一方向クラッチ30およびボールスプライン機構31を介してクランク軸12に駆動連結される。
【００２９】
一方向クラッチ30は、クランク軸12と一体に回転可能なクラッチインナ30ａと、クラッチインナ30ａに対して径方向外方に配置される円筒状のクラッチアウタ30ｂと、クラッチインナ30ａおよびクラッチアウタ30ｂの間に配置されるクラッチ素子としての複数の爪30ｃとを備える。各爪30ｃは、クラッチアウタ30ｂの内周面に設けられた多数のラチェット歯に係合する。
そして、クランク軸12が正回転方向Ａ０に回転するときにのみ、クラッチアウタ30ｂは、爪30ｃを介してクラッチインナ30ａに連結されて、クラッチインナ30ａと一体に回転する。
【００３０】
一方向クラッチ30と共にクランク軸12と駆動スプロケット32との間のトルク伝達経路に配置されるボールスプライン機構31は、クラッチアウタ30ｂと一体に回転可能な円筒状の内筒31ａと、内筒31ａに対して径方向外方に配置されて駆動スプロケット32と一体に運動する円筒状の外筒31ｂと、径方向で内筒31ａと外筒31ｂとの間に配置されて、外筒31ｂが内筒31ａに対して一体に回転可能にかつ軸方向に移動可能となるように内筒31ａと外筒31ｂとを連結する複数のボール31ｃとを備える。
【００３１】
内筒31ａは、主軸12ａの外周に軸受34を介して回転可能に支持されて、連結ピン33によりクラッチアウタ30ｂと一体に回転可能に連結される。内筒31ａは、両端部にそれぞれ軸方向で当接するように主軸12ａに軸方向で移動不能に装着される１対のスラスト軸受としての円環状のリング35，36により軸方向に移動不能に主軸12ａに支持される。一方のリング35は、主軸12ａに設けられた環状溝に嵌合する止め輪37に当接するカラー38に当接することにより、そして他方のリング36は、クラッチインナ30ａに当接することにより、それぞれ軸方向での移動が規制されている。また、外筒31ｂには、駆動スプロケット32が、リベットにより一体に結合される。
【００３２】
内筒31ａの外周面には、ボール31ｃを転動可能に収容して支持すると共に、周方向に移動不能に、かつ軸方向に移動可能に案内する複数の、この実施形態では３つの案内溝31a1が、周方向に等間隔に、かつ軸方向に平行に延びて形成される。また、外筒31ｂの内周面には、各案内溝31a1に径方向で対向するように、案内溝31a1と同数の案内溝31b1が、周方向に間隔をおいて、かつ軸方向に平行に延びて設けられる。各案内溝31b1は、案内溝31a1と同様に、ボール31ｃを転動可能に収容して支持すると共に、周方向に移動不能に、かつ軸方向に平行に移動可能に案内する。径方向で対向する内筒31ａの案内溝31a1および外筒31ｂの案内溝31b1から構成される１対の案内溝31a1，31b1には、複数のボール31ｃにより構成されるボール列が両案内溝31a1，31b1に跨って収容される。
【００３３】
それゆえ、外筒31ｂおよび駆動スプロケット32は、クランク軸12および軸方向に移動不能な内筒31ａに対して、ボール31ｃを介して一体に回転可能であり、かつ軸方向に移動可能である。そして、一方向クラッチ30は、クランク軸12の正回転時の回転またはトルクのみを、ボールスプライン機構31を介して駆動スプロケット32に伝達する。
【００３４】
図２，図４を参照すると、両ケース21，22にそれぞれ保持される１対の軸受39を介して変速ケース20に回転可能に支持される出力軸15には、外径（すなわち歯先円径）および歯数が異なる複数の、この実施形態では７つの変速スプロケット41〜47からなるスプロケット群40が、出力軸15と一体に回転可能に、かつ同軸に配置されるように、スプラインにより結合される。それゆえ、各変速スプロケット41〜47の回転中心線Ｌ３は、クランク軸12の回転中心線Ｌ１に平行な出力軸15の回転中心線Ｌ２と一致する。そして、変速スプロケット41〜47は、最低速の１速用の変速スプロケット41から最高速の７速用の変速スプロケット47まで、第２ケース22に向かって順次高速になるよう軸方向に配列される。
【００３５】
図３を併せて参照すると、駆動スプロケット32と、スプロケット群40の中から変速切換機構Ｍ２により選択される一つの変速スプロケット41〜47である作動スプロケット（以下、単に「作動スプロケット」という。図２〜図４では、変速スプロケット41または変速スプロケット47が作動スプロケットとなる状態が示されている。）との間に、チェーンＣが掛け渡される。そして、出力軸15は、駆動スプロケット32とチェーンＣを介して駆動連結された作動スプロケットとにより決定される変速比で、クランク軸12により回転駆動される。
【００３６】
チェーン案内部材50は、正回転するクランク軸12により駆動されるチェーンＣの張り側に配置されて、該張り側に張力低下などによる撓みが発生したときに、撓んだチェーンＣが駆動スプロケット32と変速ケースとの間に噛み込まれることを防止するチェーン噛込み防止手段を構成する。
【００３７】
図２を参照すると、チェーン案内部材50は、スプロケット群40の軸方向での幅よりもやや大きな軸方向での幅を有する開口52を形成する案内部51と、各変速スプロケット41〜47から巻き出されるチェーンＣがチェーン軌道の内側に移動するのを規制する規制部53とを備える。撓んだチェーンＣを開口52に整列した状態で案内するために、案内部51は、開口52に対してチェーン軌道の内側寄りに配置される内側案内部51ａと、開口52に対してチェーン軌道の外側寄りに配置されて外側案内部51b1およびローラ51b2を有する外側案内部51ｂとを備える。
【００３８】
図１〜図４を参照すると、変速切換機構Ｍ２は、変速操作機構60と、変速操作機構60による変速操作に応じてスプロケット群40の中でチェーンＣを掛け換える掛換え機構としてのディレイラ70とを備える。チェーンＣは、駆動スプロケット32と、作動スプロケットと、さらに正回転するクランク軸12により駆動されるチェーンＣの弛み側にいずれも配置される後述するガイドプーリ72およびテンションプーリ82とに掛け渡される。
【００３９】
変速ケース20の内部24でディレイラ70に連結される変速操作機構60は、運転者により操作される変速レバーなどで構成される変速操作部材61（図１参照）と、変速操作部材61の操作力をディレイラ70に伝達するために変速操作部材61とディレイラ70とを作動連結する操作力伝達部材としての操作ケーブル62とを備える。操作ケーブル62は、車体フレームＦおよび変速ケース20に保持される管状のアウタケーブル62ａと、アウタケーブル62ａの内側に移動可能に挿入されたインナケーブル62ｂとから構成される。そして、インナケーブル62ｂのディレイラ70側の端部は、後述する係合部62b1により構成される。
【００４０】
図２，図３，図５を参照すると、操作ケーブル62は、変速ケース20において、後述する揺動範囲で、径方向または軸方向に直交する方向で後述する連結部85と対向する径方向ケース壁としての周方向ケース壁23に設けられる貫通孔からなる操作用開口25を貫通して変速ケース20の内部24および外部に渡って延びている。より具体的には、操作ケーブル62は、第１ケース21の第１周方向ケース壁21ｄに設けられた開口25に嵌合して保持されるグロメット64の貫通孔を貫通する。そして、アウタケーブル62ａは、ディレイラ70側の端部62a1でディレイラ70の保持部71ａに係止されて着脱可能に保持される。また、変速ケース20の内部24で端部62a1からさらに延びるインナケーブル62ｂは、変速操作部材61側の端部で変速操作部材61に連結され、ディレイラ70側の端部である係合部62b1で平行リンク機構73に連結される。
【００４１】
図２〜図４を参照すると、クランク軸12の主軸12ａの上方に配置されると共に操作ケーブル62により操作されて駆動スプロケット32に巻き掛けられたチェーンＣを変速スプロケット41〜47の間で掛け換えるディレイラ70は、両ケース21，22に固定された状態で保持されると共にアウタケーブル62ａの保持部71ａが一体成形されて設けられる筒状の基部71と、変速スプロケット41〜47の間でのチェーンＣの掛換え時に、掛換え先の変速スプロケットである作動スプロケットに巻き掛けられるようにチェーンＣを案内するガイド部材としてのガイドプーリ72と、ガイドプーリ72を回転可能に支持するホルダＨと、基部71とホルダＨとを連結して、変速操作機構60による変速操作に応じてガイドプーリ72が軸方向および回転中心線Ｌ３の径方向に移動するようにガイドプーリ72を揺動させる作動機構としての揺動機構である１対のリンク73ａ，73ｂを有する平行リンク機構73と、チェーンＣに張力を付与するテンショナ74とを備える。
【００４２】
図６を併せて参照すると、基部71は、第１ケース21および第２ケース22に、それぞれ軸方向で対向する方向に突出して形成された１対のボス部21ｆ，22ｆに外嵌されて、第１ケース21との間に設けられる回止め用のピン65と、ボス部22ｆに挿通されてボス部21ｆにねじ込まれるボルトＢ２により、変速ケース20に対して回転不能に、かつ軸方向に移動不能に保持される。保持部71ａは、基部71において第１ケース21寄りまたは後述する第２限界位置寄りに位置して、基部71に一体成形により突出して設けられた有底の筒状の部分である。保持部71ａには、アウタケーブル62ａの端部62a1が収容される大径の孔71a1と、インナケーブル62ｂが貫通する小径の孔71a2とが設けられる。
【００４３】
ホルダＨは、１対のリベット75ａ，75ｂにより連結される第１，第２ホルダ76，77と支持部78とから構成される構成する。ガイドプーリ72は、第１，第２ホルダ76，77に、リベット75ａに外嵌されるカラー78ａと該カラー78ａに回転可能に支持される軸受78ｂとを有する支持部78を介して回転可能に支持される。軸受78ｂのインナ78b1には、後述する１対の第１，第２アーム86，87が圧入により一体に結合される。
【００４４】
図２〜図４を参照すると、第２ホルダ77は、作動部材としての１対のリンク73ａ，73ｂが枢着されて連結される連結部79と、テンションバネ83を収容するバネ収容部80とを有する。平行リンク機構73において、両リンク73ａ，73ｂは、基部71に互いに平行に設けられる１対のピン81ａ，81ｂを介して基部71に枢着され、第２ホルダ77の連結部79に１対のピン81ａ，81ｂに平行に設けられる１対のピン82ａ，82ｂに枢着される。また、ピン81ａとピン82ｂとの間には、引張コイルバネ（図示されず）からなる戻しバネが掛け渡されている。
【００４５】
また、テンショナ74は、駆動スプロケット32とガイドプーリ72との間でチェーンＣを押圧してチェーンＣに張力を付与するテンションプーリ82と、軸方向で第１，第２ホルダ76，77の間でガイドプーリ72を挟んで配置されてテンションプーリ82を回転可能に支持する第１，第２アーム86，87と、径が異なる２つの捩りコイルバネからなるバネ83ａ，83ｂにより構成されるテンションバネ83とを備える。各バネ83ａ，83ｂは、その弾発力により、回転中心線Ｌ４を中心にテンションプーリ82を図２において時計方向に付勢し、テンションプーリ82をチェーンＣに押し付ける。
【００４６】
図３，図５，図７を参照すると、平行リンク機構73の一方のリンク73ａには、インナケーブル62ｂが着脱可能に連結される連結部85が、リンク73ａに一体成形により設けられる。連結部85は、リンク73ａから後述する作業用開口26に向かって軸方向に突出する突出部から構成される。連結部85には、連結部85に係止されるインナケーブル62ｂの係合部62b1が収容される有底の嵌合孔85ａと、該嵌合孔85ａに開放すると共に連結部85の外面に開口するスリット85ｂとが設けられる。スリット85ｂは、係合部62b1以外のインナケーブル62ｂの外径よりも僅かに大きく、かつ係合部62b1よりも小さい幅を有し、このスリット85ｂを通じてインナケーブル62ｂが嵌合孔85ａに挿入され、その後、インナケーブル62ｂを引っ張ることにより、係合部62b1が嵌合孔85ａに着脱可能に嵌合し、連結部85に係止されて、インナケーブル62ｂが連結部85に連結される。
【００４７】
また、操作ケーブル62の交換時には、連結部85との連結が解除されているインナケーブル62ｂが、保持部71ａの孔71a2を経た後、アウタケーブル62ａと共に、保持部71ａの孔71a1およびグロメット64の貫通孔を経て変速ケース20から引き抜かれる。そして、新たな操作ケーブル62がグロメット64を貫通し、アウタケーブル62ａが保持部71ａに保持された後、保持部71ａを貫通するインナケーブル62ｂが連結部85に連結される。
【００４８】
そして、平行リンク機構73は、連結部85に連結されたインナケーブル62ｂに変速操作部材61からの操作力が作用していない状態では、図２，図３，図５に実線または破線で示される基本位置または最高速位置を占め、作動スプロケットとして変速スプロケット47が選択される。そして、変速操作部材61が操作されて、変速位置に応じた操作力がインナケーブル62ｂに作用すると、平行リンク機構73が、各ピン81ａ，81ｂを揺動中心として揺動し、各変速スプロケット41〜47の歯先円により構成される歯先円群に沿ってガイドプーリ72を移動させる。このとき、両リンク73ａ，73ｂ、両ホルダ76，77、両アーム86，87、テンションプーリ82は、ガイドプーリ72と共に揺動して、作動スプロケットとなる掛換え先の変速スプロケットに向けて軸方向および径方向に移動し、同時に、チェーンＣが掛換え先の変速スプロケットに向けて軸方向に移動する。そして、図２，図３，図５に二点鎖線で示される最低速位置を占めるとき、作動スプロケットとして変速スプロケット41が選択される。
【００４９】
それゆえ、変速操作機構60による操作により、ディレイラ70、より具体的には両リンク73ａ，73ｂ、両ホルダ76，77、ガイドプーリ72、両アーム86，87およびテンションプーリ82は、最高速位置としての第１限界位置および最低速位置としての第２限界位置により規定される切換移動範囲としての揺動範囲（以下、単に「揺動範囲」という。）において移動可能である。
【００５０】
図２，図３，図５を参照すると、変速ケース20には、変速ケース20内に収容されたディレイラ70に対して、変速ケース20の外部からインナケーブル62ｂと平行リンク機構73の連結部85との連結作業および連結解除作業を行うための貫通孔からなる作業用開口26が設けられる。円孔から構成される開口26の周壁面には雌ネジ部が形成され、該雌ネジ部に螺合する雄ネジ部が形成された合成樹脂製のキャップ27が、開口26にねじ込まれることにより、開口26が密封された状態で閉塞される。
【００５１】
開口26は、スプロケット群40の中で最大外径の変速スプロケット41に軸方向で最も近い変速ケース20の軸方向ケース壁としての第１軸方向ケース壁21ｃに設けられ、しかも変速スプロケット41よりも上方に位置する。そして、該変速スプロケット41は、スプロケット群40の中で、径方向で最も開口26に近い位置にある。また、開口26は、ディレイラ70が後述する規制部56と干渉しない範囲で、側面視で連結部85が開口26に臨む範囲が大きくなるように、規制部56に対して径方向外方の近傍に設けられる。
【００５２】
図５を参照すると、開口26は、揺動範囲の少なくとも半分以上において、側面視で連結部85と重なる位置にある。この実施形態では、連結部85は、平行リンク機構73が第１限界位置にあるとき、開口26の近傍に位置するものの、側面視で開口26に臨まない位置を占め、平行リンク機構73が第２限界位置に向かって揺動するにつれて、側面視で開口26に臨む位置を占め、第２限界位置では、図５に二点鎖線で示されるように、連結部84の全体が側面視で開口26に臨む位置を占める。
【００５３】
また、図３に示されるように、開口26と連結部84との間の軸方向での距離は、変速位置に応じて変化する。より具体的には、リンク73ｂおよび連結部85は、平行リンク機構73が第１限界位置にあるとき、揺動範囲において軸方向で開口26から最も離れた位置を占め、平行リンク機構73が第２限界位置に向かって揺動するにつれて、開口26に軸方向で近づく。そして、図３に二点鎖線で示されるように、第２限界位置では、連結部85の軸方向での先端部が、開口26内に進入した位置を占める。このように、作動スプロケットが変速スプロケット41であるときまたは軸方向で変速スプロケット41の近くに位置するほど、あるいはスプロケット群40の中でディレイラ70によりチェーンＣが巻き掛けられる作動スプロケットの外径が大きくなるにつれて、連結部85は開口26に軸方向で近づく。
【００５４】
図２，図４を参照すると、第１軸方向ケース壁21ｃには、さらに、変速ケース20に軸方向で最も近い変速スプロケット41へのチェーンＣの掛換え時に、変速スプロケット41を越えて軸方向に移動するチェーンＣと接触して、チェーンＣが、変速スプロケット41を越えて第１軸方向ケース壁21ｃに向かって移動するのを規制する規制部56が設けられる。規制部56は、側面視で変速スプロケット41におけるチェーンＣの巻掛け部Ｃ１（図２参照）と重なる位置において、第１軸方向ケース壁21ｃに曲げ加工を施すことにより内部24に突出して形成される側面視で円弧状の突条から構成される。この規制部56により、軸方向に移動するディレイラ70による変速スプロケット41へのチェーンＣの掛換え時に、簡単な構造で、チェーンＣを変速スプロケット41に確実に係合させることができる。
【００５５】
次に、前述のように構成された実施例の作用および効果について説明する。
運転者によりクランク軸12が正回転方向Ａ０に駆動されているとき、またはクランク軸12が逆回転または停止している状態で自転車Ｂが前進しているとき、変速操作部材61の操作により、ディレイラ70の第１，第２ホルダ76，77、ガイドプーリ72、第１，第２アーム86，87およびテンションプーリ82が、図２〜図４に実線で示される最高速位置（ここでは、７速位置が相当。）を占めて、スプロケット群40の中で作動スプロケットとして最小外径の変速スプロケット47が選択され、チェーンＣは、図３，図４に実線で示される位置の駆動スプロケット32と変速スプロケット47とに掛け渡される。正回転するクランク軸12は、一方向クラッチ30およびボールスプライン機構31を介して駆動スプロケット32を回転駆動し、駆動スプロケット32はチェーンＣを介して変速スプロケット47、出力軸15および駆動スプロケット17を、両スプロケット32，47により決定される変速比で回転駆動する。そして、駆動スプロケット17は、チェーン19を介して被動スプロケット18および後輪Ｗｒを回転駆動する。
【００５６】
この最高速位置にある状態から、変速位置を切り換えるために、作動スプロケットとして、より低速の変速スプロケット41〜46、例えば変速スプロケット41を選択するように変速操作部材61が操作されると、インナケーブル62ｂによりディレイラ70の平行リンク機構73が操作されて、平行リンク機構73により第１，第２ホルダ77，78、ガイドプーリ72、第１，第２アーム86，87、テンションプーリ82が軸方向での左方および回転中心線Ｌ３に対して径方向外方に移動して、図２〜図４に二点鎖線で示される最低速位置（ここでは、１速位置が相当。）を占める。そして、ガイドプーリ72およびテンションプーリ82と共に左方に移動するチェーンＣが、駆動スプロケット32をクランク軸12の主軸12ａに対して軸方向で左方に移動させ、駆動スプロケット32が図３，図４に二点鎖線で示される位置を占める。このとき、チェーンＣは変速スプロケット41に掛け渡されて、チェーンＣを介して駆動スプロケット32と駆動連結される。
【００５７】
また、この１速位置に対してより高速の変速位置の変速スプロケット42〜47を選択するように変速操作部材61が操作されると、インナケーブル62ｂによりディレイラ70の平行リンク機構73が操作されて、平行リンク機構73により第１，第２ホルダ77，78、ガイドプーリ72、第１，第２アーム86，87、テンションプーリ82が軸方向での右方および回転中心線Ｌ３に対して径方向内方に移動し、ガイドプーリ72およびテンションプーリ82と共に右方に移動するチェーンＣが、駆動スプロケット32を主軸12ａに対して右方に移動させると同時にチェーンＣは選択された変速スプロケット42〜47に巻掛けられる。
【００５８】
このようにして、変速操作機構60による変速操作に応じて作動するディレイラ70により、変速スプロケット41〜47の間でチェーンＣが掛け換えられて、チェーンＣが掛け渡される選択された作動スプロケットと駆動スプロケット32とにより決定される変速比で自転車Ｂが走行する。
【００５９】
そして、スプロケット群40、ディレイラ70およびチェーンＣを収容する変速ケース20を備える変速装置Ｔにおいて、変速ケース20には、操作ケーブル62のインナケーブル62ｂとディレイラ70の連結部84との連結作業および連結解除作業のための作業用開口26が設けられ、開口26は、スプロケット群40の中で最大外径の変速スプロケット41に軸方向で最も近い第１軸方向ケース壁21ｃに設けられ、変速スプロケット41は、スプロケット群40の中で、径方向で最も開口26に近いことにより、ディレイラ70によりチェーンＣが変速スプロケット41に巻き掛けられた状態では、チェーンＣがスプロケット群40の中の他の変速スプロケット42〜46に巻き掛けられた場合に比べて、開口26とチェーンＣとの軸方向での距離が最小となり、しかも変速スプロケット41が径方向で開口26に最も近いことから、開口26を通じてのチェーンＣへの給油作業が容易になって、給油作業のために開口26を大きくする必要がないので、チェーンＣへの給油作業の容易性が確保されたうえで、開口26を極力小さくすることができて、開口26による変速ケース20の剛性の低下が防止または抑制され、所要の剛性を確保したうえで、変速ケース20の大型化および重量増が防止または抑制される。また、開口26は、変速スプロケット41よりも上方に位置するので、開口26から変速スプロケット41にまきかけられた状態にあるチェーンＣに対して効率よく給油を行うことができる。また、図２に示されるように、スプロケット群40の中で最小外径の変速スプロケット47にチェーンＣが巻き掛けられた状態では、テンションプーリ82に巻き掛けられた部分のチェーンＣが開口26に近接するため、例えばスプレータイプの潤滑油を用いることにより、容易に給油作業ができる。
【００６０】
操作ケーブル62は、操作用開口25を貫通して変速ケース20の内部24および外部に渡って延びており、開口25は、径方向で連結部85と対向する第１周方向ケース壁21ｄに設けられることにより、変速ケース20において、操作用開口25は、作業用開口26が設けられる第１軸方向ケース壁21ｃに設けられないため、第１軸方向ケース壁21ｃにおける開口26の配置の制約が少なくなる。この結果、第１軸方向ケース壁21ｃに設けられる開口26の配置の自由度が大きくなるので、開口26を、インナケーブル62ｂと連結部85との連結・連結解除作業はもちろん、チェーンＣへの給油作業にも適切な位置に設けることが可能になり、連結・連結解除作業および給油作業が容易になる。
【００６１】
ディレイラ70は、チェーンＣの掛換え時に掛換え先の変速スプロケットに向けてチェーンＣを軸方向に移動させるリンク73ａ，73ｂを備え、連結部85はリンク73ｂに設けられてリンク73ｂから開口26に向かって軸方向に突出していることにより、連結部85が、リンク73ｂから軸方向に突出する分、軸方向で開口26により近づくので、インナケーブル62ｂと連結部85との連結および連結解除作業が一層容易になる。
【００６２】
ディレイラ70によるチェーンＣの掛換え先の変速スプロケットが、変速スプロケット41であるとき、または軸方向で変速スプロケット41の近くに位置するほど、連結部85が開口26に軸方向で近づくことにより、ディレイラ70を操作して、スプロケット群40の中で、軸方向で変速スプロケット41により近い位置の変速スプロケットに、好ましくは変速スプロケット41にチェーンＣが巻き掛けられた状態とすることにより、連結部85を軸方向で開口26に近づけることができるので、給油作業の際にインナケーブル62ｂと連結部85との連結状態の点検が容易にできる。
【００６３】
さらに、開口26は、揺動範囲の少なくとも半分以上において、側面視で連結部85と重なる位置にあることにより、揺動範囲のうち、連結部85が側面視で開口26に臨む位置を占めることで、開口26と連結部85とが軸方向で対向することになる範囲である対向範囲で、インナケーブル62ｂと連結部85との連結・連結解除作業が一層容易になる。
【００６４】
以下、前述した実施例の一部の構成を変更した実施例について、変更した構成に関して説明する。
図８に示されるように、規制部56が設けられない場合には、開口26は、平行リンク機構73の揺動範囲の全体において側面視で連結部85と重なる位置に、しかも最大外径の変速スプロケット41に径方向でより近い位置に設けることができる。この場合、連結部85は、平行リンク機構73が第１限界位置（図８に実線または点線で示される。）にあるとき、側面視で開口26に臨む位置を占め、そして平行リンク機構73がこの第１限界位置から第２限界位置（図８に二点鎖線で示される。）に達するまでの揺動範囲全体に渡って、側面視で開口26に臨む位置を占める。
【００６５】
このように、連結部85が揺動範囲全体において側面視で開口26に臨むことにより、揺動範囲全体が前記対向範囲となるので、揺動範囲の一部が前記対向範囲となる前記実施形態に比べて、開口26を通じてのインナケーブル62ｂと連結部85との連結・連結解除作業が一層容易になる。しかも、第１限界位置を占めるときにも連結部85が平面視で開口26に臨む位置を占めることにより、第１限界位置では連結部85が開口26に臨むことがない前記実施形態に比べて、開口26が変速スプロケット41に径方向でより近づいた位置になるので、開口26を通じてのチェーンＣへの給油作業も一層容易になる。
【００６６】
開口25は、第１ケース21に設けられたが、第２ケース22の第２周方向ケース壁22ｄに設けられてもよい。前記揺動機構は、平行リンク機構以外の機構であってもよい。変速装置Ｔは、自転車以外の機械に備えられてもよい。
【図面の簡単な説明】
【００６７】
【図１】本発明の実施形態を示し、本発明が適用された変速装置を備える自転車の概略の左側面図である。
【図２】図１の変速装置の第２ケースを外した状態での、図４のＩＩ矢視および一部を断面で示す図である。
【図３】図２のＩＩＩ−ＩＩＩ線断面図であり、ディレイラの一部については断面を示す図である。
【図４】図２のＩＶ−ＩＶ線断面図であり、ディレイラの一部については、ＩＶａ線での断面図である。
【図５】キャップを外したときの図３のＶ矢視での要部側面図である。
【図６】図３のＶＩ−ＶＩ線断面図である。
【図７】ディレイラの揺動中心に直交する平面を切断面とし、該切断面上の図３のＶＩＩ−ＶＩＩ矢視での断面図である。
【図８】本発明の別の実施形態を示し、図５に対応する要部側面図である。
【符号の説明】
【００６８】
12…クランク軸、20…変速ケース、25…操作用開口、26…作業用開口、27…キャップ、32…駆動スプロケット、41〜47…変速スプロケット61…変速操作部材、62…操作ケーブル、70…ディレイラ、72…ガイドプーリ、73…平行リンク機構、85…連結部、
Ｂ…自転車、Ｔ…変速装置、Ｍ１…変速機構、Ｍ２…変速切換機構Ｃ…チェーン。
【図１】
2006096300.tif 000003
【図２】
2006096300.tif 000004
【図３】
2006096300.tif 000005
【図４】
2006096300.tif 000006
【図５】
2006096300.tif 000007
【図６】
2006096300.tif 000008
【図７】
2006096300.tif 000009
【図８】
2006096300.tif 000010